【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
文書入力手段と、前記文書入力手段によって入力された文書データを画像出力用データに処理する手段と、前記文書入力手段によって入力された文書データに対する電子署名を作成する電子署名作成手段と、前記電子署名作成手段によって作成された電子署名を入力文書データと対応付けて管理する文書管理手段と、電子署名の実行を指示する実行指示手段と、接続した外部デバイスとのインターフェースを有する画像処理装置であって、
前記電子署名作成手段は、画像処理装置内蔵の記憶装置に保存されたユーザ固有の情報又は機器固有の情報に基づく秘密鍵を用いて暗号化を行う内部処理手段、並びに前記インターフェースを介して接続した外部デバイスに保存されたユーザ固有の情報に基づく秘密鍵を用いて暗号化を行う外部処理手段を備えるとともに、
前記実行指示手段の指示に従って、前記内部処理手段又は前記外部処理手段のいずれか一方の手段を制御し電子署名を作成させる制御手段を備えたことを特徴とする画像処理装置。
【請求項２】
請求項１に記載された画像処理装置において、前記実行指示手段は、選択された入力条件に従って、前記制御手段に前記内部処理手段又は前記外部処理手段のいずれか一方の手段を動作させる指示を行うことを特徴とする画像処理装置。
【請求項３】
請求項１又は２に記載された画像処理装置において、入力文書データに対しタイムスタンプを付加するタイムスタンプ付加手段を備え、前記文書管理手段によりタイムスタンプが付加された入力文書データを管理することを特徴とする画像処理装置。
【請求項４】
請求項３に記載された画像処理装置において、前記タイムスタンプ付加手段の作動／不作動を制御するタイムスタンプ制御手段を備え、前記タイムスタンプ制御手段は、タイムスタンプの要否を選択する入力条件に従って、制御動作を行うことを特徴とする画像処理装置。
【請求項５】
請求項２又は４に記載された画像処理装置において、ユーザの入力操作が可能な操作部を備え、前記操作部により前記入力条件の指示を行うことを特徴とする画像処理装置。
【請求項６】
請求項１乃至５のいずれかに記載された画像処理装置において、ネットワークとのデータの送受信行う通信インターフェースを備え、前記通信インターフェースを介して、入力文書データに対する電子署名、さらにタイムスタンプを付したデータの少なくとも一方を付加した前記入力文書データをネットワークに送信することを特徴とする画像処理装置。
【請求項７】
入力された文書データに対する電子署名の実行を、画像処理装置の内部処理手段又はインターフェースを介して接続した外部デバイスの処理手段のいずれか一方に指示する実行指示工程と、
前記実行指示工程の指示が画像処理装置の内部処理手段に対して行われた場合に、画像処理装置内蔵の記憶装置に予め保存されたユーザ固有の情報又は機器固有の情報に基づく秘密鍵を用いて暗号化を行う第１の電子署名作成工程と、
前記実行指示工程の指示が外部デバイスの処理手段に対して行われた場合に、デバイスに保存されたユーザ固有の情報に基づく秘密鍵を用いて暗号化を行う第２の電子署名作成工程と、
前記第１の電子署名作成工程又は前記第２の電子署名作成工程で作成された電子署名を入力文書データと対応付けて保存する保存処理工程を有したことを特徴とする画像処理方法。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】０００１
【補正方法】変更
【補正の内容】
【０００１】
本発明は、文書入力手段と入力文書データを画像出力用データ（プリント出力用或いは外部利用機器への配信出力用のデータ）に処理する手段を有する画像処理装置（例えば、ネットワークに接続可能なプリンタ装置、複写・ＦＡＸ・プリンタ・スキャナ等の多機能を持つＭＦＰ（複合）機、ファクシミリ装置など）に関し、より特定すると、入力文書データに対する電子署名を内蔵及び外付けの手段により作成し得るようにし、得られる電子署名を対応する入力文書データと関連付けて管理する手段を備えた上記画像処理装置及び画像処理方法に関する。
【手続補正４】
【補正対象書類名】明細書
【補正対象項目名】０００５
【補正方法】変更
【補正の内容】
【０００５】
請求項１の発明は、文書入力手段と、前記文書入力手段によって入力された文書データを画像出力用データに処理する手段と、前記文書入力手段によって入力された文書データに対する電子署名を作成する電子署名作成手段と、前記電子署名作成手段によって作成された電子署名を入力文書データと対応付けて管理する文書管理手段と、電子署名の実行を指示する実行指示手段と、接続した外部デバイスとのインターフェースを有する画像処理装置であって、前記電子署名作成手段は、画像処理装置内蔵の記憶装置に保存されたユーザ固有の情報又は機器固有の情報に基づく秘密鍵を用いて暗号化を行う内部処理手段、並びに前記インターフェースを介して接続した外部デバイスに保存されたユーザ固有の情報に基づく秘密鍵を用いて暗号化を行う外部処理手段を備えるとともに、前記実行指示手段の指示に従って、前記内部処理手段又は前記外部処理手段のいずれか一方の手段を制御し電子署名を作成させる制御手段を備えたことを特徴とする。
請求項２の発明は、請求項１に記載された画像処理装置において、前記実行指示手段は、選択された入力条件に従って、前記制御手段に前記内部処理手段又は前記外部処理手段のいずれか一方の手段を動作させる指示を行うことを特徴とする。
【手続補正５】
【補正対象書類名】明細書
【補正対象項目名】０００６
【補正方法】変更
【補正の内容】
【０００６】
請求項３の発明は、請求項１又は２に記載された画像処理装置において、入力文書データに対しタイムスタンプを付加するタイムスタンプ付加手段を備え、前記文書管理手段によりタイムスタンプが付加された入力文書データを管理することを特徴とする。
請求項４の発明は、請求項３に記載された画像処理装置において、前記タイムスタンプ付加手段の作動／不作動を制御するタイムスタンプ制御手段を備え、前記タイムスタンプ制御手段は、タイムスタンプの要否を選択する入力条件に従って、制御動作を行うことを特徴とする。
【手続補正６】
【補正対象書類名】明細書
【補正対象項目名】０００７
【補正方法】変更
【補正の内容】
【０００７】
請求項５の発明は、請求項２又は４に記載された画像処理装置において、ユーザの入力操作が可能な操作部を備え、前記操作部により前記入力条件の指示を行うことを特徴とする。
【手続補正７】
【補正対象書類名】明細書
【補正対象項目名】０００８
【補正方法】変更
【補正の内容】
【０００８】
請求項６の発明は、請求項１乃至５のいずれかに記載された画像処理装置において、ネットワークとのデータの送受信行う通信インターフェースを備え、前記通信インターフェースを介して、入力文書データに対する電子署名、さらにタイムスタンプを付したデータの少なくとも一方を付加した前記入力文書データをネットワークに送信することを特徴とする。
請求項７の発明は、入力された文書データに対する電子署名の実行を、画像処理装置の内部処理手段又はインターフェースを介して接続した外部デバイスの処理手段のいずれか一方に指示する実行指示工程と、前記実行指示工程の指示が画像処理装置の内部処理手段に対して行われた場合に、画像処理装置内蔵の記憶装置に予め保存されたユーザ固有の情報又は機器固有の情報に基づく秘密鍵を用いて暗号化を行う第１の電子署名作成工程と、前記実行指示工程の指示が外部デバイスの処理手段に対して行われた場合に、デバイスに保存されたユーザ固有の情報に基づく秘密鍵を用いて暗号化を行う第２の電子署名作成工程と、前記第１の電子署名作成工程又は前記第２の電子署名作成工程で作成された電子署名を入力文書データと対応付けて保存する保存処理工程を有したことを特徴とする画像処理方法である。
【手続補正８】
【補正対象書類名】明細書
【補正対象項目名】００１９
【補正方法】変更
【補正の内容】
【００１９】
「ＩＣカードによる処理（個人署名）」
先ず、外部デバイスとしてのＩＣカード３２を用いて電子署名を作成する場合の処理例を説明する。ＩＣカード３２は、個人が所有、管理するという前提を置くと、カードには予め個人情報や秘密鍵のデータが保存されている。従って、ＩＣカード３２を用いる電子署名では、文書入力をするユーザ個人の署名が作成される（本書で「個人署名」と記す場合、この電子署名を指す）。
また、ここに示す例では、ユーザ等がオペレーションパネル２１を通じて、初期設定を行うときに、電子署名及びタイムスタンプを行うか、否かを設定する入力操作を行う。図５は、電子署名及びタイムスタンプ付加に関する初期設定画面の１例を示す。同図に示すように、電子署名とタイムスタンプの付加、それぞれについて、要否の設定を行うための画面を用意する。この画面への入力操作により、電子署名及びタイムスタンプを不要とする動作も可能とする。なお、ユーザが、オペレーションパネル２１を通じて、スキャナ入力が必要な特定の機能（例えば、複写やスキャナ配信など）による処理要求を行うときに、上記設定の入力操作を行っても良い（後記の図１２、Ｐ４，５、参照）。
【手続補正９】
【補正対象書類名】明細書
【補正対象項目名】００２３
【補正方法】変更
【補正の内容】
【００２３】
「セキュアデバイスによる処理（個人署名）」
機器（ＭＦＰ機）内蔵のデバイスとしてのセキュアデバイス１２を用いて電子署名を作成する場合の処理例を説明する。ここでは、文書に対しユーザ個人の電子署名を行う。また、個人署名を行うユーザの本人確認を上記したＩＣカード３２を用いる方式とは異なる方式、即ち、オペレーションパネル２１を通じてユーザＩＤ等の個人情報やパスワードを入力する方式に従い行う例を示す。
なお、この処理の制御フローを実行する前、ユーザによって、オペレーションパネル２１を通じて、電子署名及びタイムスタンプを行うか、否かを設定する入力操作を行う。この設定は、上記と同様に、図５の初期設定画面で例示した方法、或いはスキャナ入力が必要な特定の機能による処理要求を行うときのユーザ設定（後記の図１２、Ｐ４，５、参照）で行っても良い。
図８は、文書データ入力時の電子署名及びタイムスタンプ処理に係わる本例の制御フローを示す。また、図９は、図８の制御フローに対応するソフトウェア内部（ソフトウェア構成は、図４と同一）の動作をデータのフローによって示す図である。
図８の制御フローによると、処理の始めに機器で個人認証を行う（ステップＳ２０１）。この処理では、以下の手順を行う。即ち、スキャナ入力が必要な機能（例えば、複写）による処理要求を行うユーザに対し、オペレーションパネル２１を通じて、ユーザＩＤとパスワードの入力を指示する。この指示に応え、ユーザは、オペレーションパネル２１のキーを用いて入力操作を行う。個人認証は、本ＭＦＰ機にネットワーク接続された外部の認証サーバ３００（図１、参照）を用いて認証する方法によるか、または、本ＭＦＰ機内部に予め構築したアドレス帳（本例では、ＨＤＤ８に構築する）等を用いて認証する方法によるか、いずれかの方法による。図９の例は、機器内部に予め構築したアドレス帳を用いて認証する時の動作フローを示している。この時、ソフトウェアでは、スキャナアプリ５３からオペレーション制御部６５を通じて、ＨＤＤ８のアドレス帳にアクセスし、登録されているパスワードとユーザＩＤを取得し、これらとオペレーションパネル２１からユーザが行った入力とを照合し、本人であることを認証する。
【手続補正１０】
【補正対象書類名】明細書
【補正対象項目名】００２６
【補正方法】変更
【補正の内容】
【００２６】
「セキュアデバイスによる処理（機器署名）」
機器（ＭＦＰ機）内蔵のデバイスとしてのセキュアデバイス１２を用いて電子署名を作成する場合の処理例を説明する。ここでは、文書に対し機器固有の秘密鍵による電子署名を行う（本書で「機器署名」と記す場合、この電子署名を指す）。
なお、この処理の制御フローを実行する前、ユーザによって、オペレーションパネル２１を通じて、機器署名及びタイムスタンプを行うか、否かを設定する入力操作を行う。この設定は、上記と同様に、図５の初期設定画面で例示した方法、或いはスキャナ入力が必要な特定の機能による処理要求を行うときのユーザ設定（後記の図１２、Ｐ４，５、参照）で行っても良い。
図１０は、文書データ入力時の機器署名及びタイムスタンプ処理に係わる本例の制御フローを示す。また、図１１は、図１０の制御フローに対応するソフトウェア内部（ソフトウェア構成は、図４と同一）の動作をデータのフローによって示す図である。
図１０の制御フローによると、フローの始めに、入力デバイスであるスキャナによって文書を読み取る（ステップＳ３０１）。文書の読取は、スキャナアプリ５３によって行われる。
次いで、機器署名を作成するか、否かを、先に行われたユーザの入力操作をチェックすることにより、確かめ、作成しない場合には（ステップＳ３０２-NO）、機器署名及びタイムスタンプ処理を飛ばして、読取った文書データを利用すべく、送信／保存等の処理を行うためのアクションを起こし（ステップＳ３０７）、この制御フローを終了する。